【事件の表示】
　特願２００３−５２２３９４「らせん構成要素を有するステント」拒絶査定不服審判事件〔平成１５年　３月　６日国際公開、ＷＯ０３／１７８７０、平成１６年　７月２２日国内公表、特表２００４−５２１７２０〕について、次のとおり審決する。
【結　論】
　本件審判の請求は、成り立たない。
【理　由】
Ｉ．手続の経緯  
　本願は、平成１３年１２月１１日（パリ条約による優先権主張　平成１２年１２月１１日、米国）を国際出願日とする出願であって、平成２１年６月４日付けで拒絶査定がされ、これに対し、同年１０月７日に拒絶査定不服審判の請求がされるとともに、同日付けで明細書の特許請求の範囲についての手続補正がなされたものである。  
　  
II．平成２１年１０月７日付けの手続補正についての補正却下の決定  
［補正却下の決定の結論］  
平成２１年１０月７日付けの手続補正（以下、「本件補正」という。）を却下する。  
　  
［理由］  
１．補正後の本願発明  
　本件補正により、特許請求の範囲の請求項１は、次のように補正された。  
「【請求項１】 
　本体を有する拡張可能なステントであって、非拡張時に、前記本体は、 
　Ｈ形状の接続セグメントによって接続される複数の拡張可能ならせんセグメントと、 
　それぞれ互いに平行に積み重ねられることにより、共線的な円筒軸を有し、互いに隣接して、交差する前記らせんセグメントの前記接続セグメントによって互いに取り付けられた複数の円筒形構成要素とを有し、該円筒形構成要素の各々が、 
　隣接の円筒形構成要素とほぼ同一の方向で、ほぼ同一の円周を形成し、 
　前記らせんセグメントの前記接続セグメントによって互いに結合されて、前記円筒形構成要素の前記円周を形成する複数の円周方向セグメントによって形成されるステント。」 
（なお、下線は、補正箇所を明示するために付したものである。）  
　  
２．補正の目的及び新規事項の追加の有無  
　本件補正は、本件補正前の請求項１に記載された、発明を特定するために必要な事項である「複数の拡張可能ならせんセグメント」を「Ｈ形状の接続セグメントによって接続される複数の拡張可能ならせんセグメント」と、発明を特定するために必要な事項である「交差する前記らせんセグメントによって互いに取り付けられた複数の円筒形構成要素」を「交差する前記らせんセグメントの前記接続セグメントによって互いに取り付けられた複数の円筒形構成要素」と、「らせんセグメントと交差する部分によって互いに結合されて」を「らせんセグメントの前記接続セグメントによって互いに結合されて」と、それぞれ限定するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。 
　そして、本件補正は、新規事項を追加するものではない。 
　 
３．独立特許要件 
　そこで、本件補正後の前記請求項１に記載された発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について、以下に検討する。 
　 
３−１．引用例の記載事項 
　本願優先権主張日前に頒布された刊行物である国際公開第９９／４９８１０号（以下、「引用例１」という。）には、次の事項が図面とともに記載されている（付記した訳文は、パテントファミリーである特表２００２−５０９７５９号公報の記載に基づく。）。 
　 
ａ．「Fig. 1 illustrates a stent 10 having a rest length Lr and an un-deployed or reduced diameter Dr. The stent 10 is of the design shown in the aforementioned U.S. patent application. The slot of the novel beam construction, as will be described, is not shown in Fig. 1.
　For ease of illustration, the stent 10 is shown flat in Fig. 2 which illustrates a rest circumference Cr (Cr=πDr). In Fig. 2, locations A, B, C, D and E are shown severed from their normally integrally formed locations A1,B1,C1,D1 and E1. This permits the stent 10 to be shown as if it were severed at normally integrally formed locations A-A1, B-B1, C-C1, D-D1 and E-E1, and laid flat. Fig. 6 is an enlarged portion of the view of Fig. 2 to better illustrate a cell structure as will be described. 
　The stent 10 is a reticulated, hollow tube. The stent 10 may be expanded from the rest diameter Dr (and corresponding rest circumference Cr) to an expanded or enlarged diameter. Fig. 3 is a view similar to Fig. 2 (i.e., illustrating the expanded stent 10 as it would appear if longitudinally split and laid flat). Since Fig. 3 is a twodimensional representation, the enlarged diameter is not shown. However, the enlarged circumference Ce is shown as well as a length Le following expansion. The expanded diameter is equal to Ce/π. 」（第４ページ第３〜１９行） 
「図１は、静止状態の長さＬrおよび未展開状態すなわち縮径状態の直径Ｄrを有するステント１０を示す。ステント１０は上記米国特許出願に記載の構造を有する。図１には、後述する新規の梁構成の溝(slot)は示されていない。 
　図示を分かりやすくするために、ステント１０を平面状にして図２に示し、静止状態の円周をＣr（Ｃｒ＝πＤr）とする。図２において、位置Ａ、Ｂ、Ｃ、ＤおよびＥは、通常一体形成される位置Ａ1、Ｂ1、Ｃ1、Ｄ1およびＥ1から切り離されたものである。これにより、ステント１０を、通常一体形成される位置Ａ−Ａ1、Ｂ−Ｂ1、Ｃ−Ｃ1、Ｄ−Ｄ1およびＥ−Ｅ1で切り離し、平らに延ばしたように示すことができる。図６は、図２の一部を拡大したものであり、後述するセルの構造をより詳細に示している。 
　ステント１０は網状の中空管である。ステント１０は、静止直径Ｄr（およびそれに対応する静止円周Ｃr）から、拡張した直径、すなわち拡径に拡張することができる。図３は、図２と同様の図である（すなわち、縦方向に分割し、平らに延ばした場合の拡張したステント１０を図示している）。図３は二次元的に表しているため、拡径が示されていない。しかし、拡大された円周Ｃeは、拡張後の長さＬeと共に示されている。拡張した直径はＣe／πに等しい。」 
　 
ｂ．「The cells 12 have a longitudinal or major axis XM-XM and a transverse or minor axis Xm-Xm. In the embodiments of Figs. 1 - 3, the major axis XM-XM is perpendicular to the longitudinal cylindrical axis X-X of the stent 10. In the embodiments of Figs. 8 and 9, the major axis XM'-XM' is parallel to the longitudinal cylindrical axis X'-X' of the stent 10'. The cell 12 is symmetrical about axes XM-XM and Xm-Xm. 
　The cell 12 is defined by portions of the tube material including first and second longitudinal segments or support beams 14. The beams 14 each have a longitudinal axis Xa- Xa (shown in Fig. 6). The beams' longitudinal axes Xa-Xa are parallel to and positioned on opposite sides of the cell major axis XM-XM.  
　Referring to Fig. 6, each of longitudinal beams 14 has an undulating pattern to define a plurality of peaks 17, 21, 25 and valleys 19, 23. The peaks 17, 21, 25 are spaced outwardly from the longitudinal axes Xa-Xa and the valleys 19, 23 are spaced inwardly from the longitudinal axes Xa-Xa. As used in this context, inward and outward mean toward and away from, respectively, the cell's major axis XM-XM.  
　Each of the peaks 17, 21, 25 and valleys 19, 23 is a generally semi-circular arcuate segment. The peaks 17, 21, 25 and valleys 19, 23 are joined by parallel and spaced-apart straight segments 16, 18, 20, 22, 24 and 26 which extend perpendicular to the major axis XM-XM. Linearly aligned straight end portions 16, 26 of opposing segments 14 are joined at first and second longitudinal connection locations 27 spaced apart on the major axis XM-XM. First and second transverse connection locations 28 are spaced apart on the minor axis Xm-Xm. The first and second transverse connection locations 28 are positioned at the apices of the center peaks 21 ofthe longitudinal beams 14.」（第４ページ第２７行〜第５ページ第１８行） 
「セル１２は、縦軸すなわち主軸ＸM−ＸMおよび横軸すなわち副軸Ｘm−Ｘmを有する。図１ないし図３の実施の形態において、主軸ＸM−ＸMは、ステント１０の縦方向の円筒軸Ｘ−Ｘに垂直である。図８および図９の実施の形態において、主軸Ｘ’M−Ｘ’Mは、ステント１０’の縦方向の円筒軸Ｘ’−Ｘ’に平行である。セル１２は、ＸM−ＸM軸およびＸm−Ｘm軸に対して対称である。 
　セル１２は、第１および第２の縦セグメントすなわち支持梁１４を含む管の材料部分によって形成される。梁１４は、それぞれ縦軸Ｘa−Ｘa（図６参照）を有する。この梁の縦軸Ｘa−Ｘaは、セルの主軸ＸM−ＸMに平行であり、セルの主軸の両側に位置する。 
　図６を参照して、縦方向の梁１４はそれぞれ、複数の山部１７、２１、２５および谷部１９、２３を形成する波状のパターンを有する。山部１７、２１、２５は縦軸Ｘa−Ｘaより外側(outward)に間隔をおいて配置され、谷部１９、２３は縦軸Ｘa−Ｘaよりも内側(inward)に間隔をおいて配置される。この文脈において使用する場合、「inward」はセルの主軸ＸM−ＸMに向かうことを意味し、「outward」はセルの主軸から離れることを意味する。 
　山部１７、２１、２５および谷部１９，２３はそれぞれ、通常、半円弧状のセグメントである。山部１７、２１、２５および谷部１９、２３は、主軸ＸM−ＸMに対して垂直に延び、平行に間隔をあけて配置された直線セグメント１６、１８、２０、２２、２４および２６によって連結される。対向するセグメント１４の直線状に並ぶ直線端部１６、２６は、主軸ＸM−ＸM上に離れて配置された第１および第２の縦方向の連結位置２７で直結される。第１および第２の横方向の連結位置２８は、副軸Ｘm−Ｘm上に離れて配置される。第１および第２の横方向の連結位置２８は、縦方向の梁１４の中央山部２１の尖端に位置する。」 
　 
ｃ．「While three cells 12 are shown in Fig. 2 longitudinally connected surrounding the circumference Cr of the stent, a different number could be so connected to vary the properties of the stent 10 as a designer may elect. Likewise, while each column of cells 12 in Fig. 2 is shown as having three longitudinally connected cells 12, the number of longitudinally connected cells 12 could vary to adjust the properties of the stent. Also, while each longitudinal segment 14 is shown as having three peaks 17, 21, 25 per longitudinal segment 14, the number of peaks could vary.」（第８ページ第２５〜３２行） 
「 図２では、３つのセル１２がステントの円周Ｃrに沿って縦方向に連結しているが、設計者の選択に従ってステント１０の特性を変化させるために、異なる数のセルをそのようにつなぐことができる。同様に、図２におけるセル１２の各列は、縦方向に連結した３つのセル１２を有するが、縦方向に連結されたセル１２の数は、ステントの特性を調整するために変更することができる。また、それぞれの縦セグメント１４は、縦セグメント１４ごとに３つの山部１７、２１、２５を有するが、山部の数は変更することができる。」 
　 
ｄ．図面のＦＩＧ．６には、連結位置２８が左右に２箇所図示されており、右側に示された一方の連結位置２８に着目すると、当該連結位置２８の左下部には、直線セグメント１６、山部１７、直線セグメント１８、谷部１９、直線セグメント２０よりなるＳ字状の部材（以下、この部材を「Ｓ字状部材」という。）が、連結位置２８の左上部には、直線セグメント２２、谷部２３、直線セグメント２４、山部２５、直線セグメント２６よりなる逆Ｓ字状の部材（以下、この部材を「逆Ｓ字状部材」という。）が、それぞれ接続されていること、また、連結位置２８の右上部には、Ｓ字状部材と同様の部材が、連結位置２８の右下部には、逆Ｓ字状部材と同様の部材が、それぞれ接続されていることが読み取れる。さらに、これら２つのＳ字状部材と２つの逆Ｓ字状部材とが接続される連結位置２８の形状は、Ｈ形状であることも分かる（以下、２つのＳ字状部材及び２つの逆Ｓ字状部材が接続されるＨ形状の部材を「接続部材」という。）。 
　 
ｅ．記載事項ｃの「図２では、３つのセル１２がステントの円周Ｃrに沿って縦方向に連結している」という記載及び図面のＦＩＧ．１、ＦＩＧ．２、ＦＩＧ．６によれば、ステント１０を成す網状の中空管の表面には、Ｓ字状部材、逆Ｓ字状部材、及びＨ形状の接続部材が規則的に配列されており、Ｓ字状部材とＨ形状の接続部材とが交互に連続して連結される部分は、ステント１０を成す網状の中空管の表面で三重らせん状に配置されることが読み取れる。 
　ここで、ステント１０を成す網状の中空管の表面にらせん状に配置される、Ｓ字状部材とＨ形状の接続部材とが交互に連続して連結される部分を、以下、「らせん部」という。 
　 
ｆ．図面のＦＩＧ．３を参照すれば、らせん部は、ステント１０が拡径した際に、拡張することが読み取れる。 
　 
ｇ．記載事項ｃの「図２では、３つのセル１２がステントの円周Ｃrに沿って縦方向に連結している」という記載及び図面のＦＩＧ．１、ＦＩＧ．２、ＦＩＧ．６を参照すれば、ステントの円周方向には、３つのＳ字状部材及び３つの逆Ｓ字状部材が交互に配置され、円筒形状を成していることが読み取れる。 
　ここで、ステントの円周方向に配置される、３つのＳ字状部材及び３つの逆Ｓ字状部材から成る円筒形の部材を、以下、「円筒形部材」という。 
　 
ｈ．図面のＦＩＧ．１、ＦＩＧ．２、ＦＩＧ．６によれば、ステント１０において、複数の円筒形部材は、互いに平行に積み重ねられ、共通の円筒軸Ｘ−Ｘを有すること、各円筒形部材は、隣接の円筒形部材とほぼ同一の方向で、ほぼ同一の円周を形成していること、隣接する円筒形部材は、接続部材により互いに互いに取り付けられていること、が読み取れる。 
　 
ｉ．図面のＦＩＧ．２、ＦＩＧ．６によれば、各らせん部と各円筒形部材とは、互いに交差して配置されていることも読み取れる。 
　 
　これらの記載事項及び図示内容を総合し、本願補正発明の記載ぶりに則って整理すると、引用例には、次の発明（以下、「引用発明１」という。）が記載されている。 
「網状の中空管を有する拡径に拡張することができるステント１０であって、縮径時に、前記網状の中空管は、 
　Ｈ形状の接続部材によって接続される拡張可能な三重のらせん部と、 
　それぞれ互いに平行に積み重ねられることにより、共通の円筒軸Ｘ−Ｘを有し、互いに隣接して、交差する前記らせん部の前記接続部材によって互いに取り付けられた複数の円筒形部材とを有し、該円筒形部材の各々が、 
　隣接の円筒形部材とほぼ同一の方向で、ほぼ同一の円周を形成し、 
　前記らせん部の前記接続部材によって互いに結合されて、前記円筒形部材の前記円周を形成する複数のＳ字状部材及び逆Ｓ字状部材によって形成されるステント１０。」 
　 
３−２．対比・判断 
　本願補正発明と引用発明１とを対比すると、引用発明１の「ステント１０」は、その機能又は構造からみて本願補正発明の「ステント」に相当し、以下同様に、「拡径に拡張することができるステント１０」は「拡張可能なステント」に、「縮径時」は「非拡張時」に、「接続部材」は「接続セグメント」に、「らせん部」は「らせんセグメント」に、「拡張可能な三重のらせん部」は「複数の拡張可能ならせんセグメント」に、「共通の円筒軸Ｘ−Ｘ」は「共線的な円筒軸」に、「円筒形部材」は「円筒形構成要素」に、「円筒形部材の前記円周を形成する複数のＳ字状部材及び逆Ｓ字状部材」は「円筒形構成要素の前記円周を形成する複数の円周方向セグメント」に、それぞれ相当する。 
　また、引用発明１における「網状の中空管」とは、拡張可能なステント１０の本体そのものであることから、本願補正発明の「本体」に相当する。 
　 
　してみると、本願補正発明と引用発明１とは、本願補正発明の用語を用いて表現すると、 
「本体を有する拡張可能なステントであって、非拡張時に、前記本体は、 
　Ｈ形状の接続セグメントによって接続される複数の拡張可能ならせんセグメントと、 
　それぞれ互いに平行に積み重ねられることにより、共線的な円筒軸を有し、互いに隣接して、交差する前記らせんセグメントの前記接続セグメントによって互いに取り付けられた複数の円筒形構成要素とを有し、該円筒形構成要素の各々が、 
　隣接の円筒形構成要素とほぼ同一の方向で、ほぼ同一の円周を形成し、 
　前記らせんセグメントの前記接続セグメントによって互いに結合されて、前記円筒形構成要素の前記円周を形成する複数の円周方向セグメントによって形成されるステント。」 
という点で一致し、両者の間に相違点はない。 
　 
　よって、本願補正発明は、引用例１に記載された発明であるから、特許法第２９条第１項第３号に該当し、特許出願の際独立して特許を受けることができない。 
　 
３−４．むすび 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　 
III．本願発明 
　本件補正は上記のとおり却下されたので、本願の請求項１に係る発明（以下、同項記載の発明を、「本願発明」という。）は、平成２１年４月２１日付け手続補正により補正された特許請求の範囲の請求項１に記載された事項により特定される、以下のとおりのものである。 
「【請求項１】 
　本体を有する拡張可能なステントであって、非拡張時に、前記本体は、 
　複数の拡張可能ならせんセグメントと、 
　それぞれ互いに平行に積み重ねられることにより、共線的な円筒軸を有し、互いに隣接して、交差する前記らせんセグメントによって互いに取り付けられた複数の円筒形構成要素とを有し、該円筒形構成要素の各々が、 
　隣接の円筒形構成要素とほぼ同一の方向で、ほぼ同一の円周を形成し、 
　前記らせんセグメントと交差する部分によって互いに結合されて、前記円筒形構成要素の前記円周を形成する複数の円周方向セグメントによって形成されるステント。」 
　 
IV．引用例の記載事項 
　原査定の拒絶の理由に引用された、本願優先権主張日前に頒布された刊行物である国際公開第００／７１０５３号（以下、「引用例２」という。）には、次の事項が図面とともに記載されている（原文において、ウムラウトのある文字はウムラウトのない文字で、また、エスツェットは「ss」にて代用した。付記した訳文は、パテントファミリーである特表２００３−５３２４４１号公報の記載に基づく。）。 
　 
ｊ．「Die Erfindung betrifft eine radial aufweitbare Gefassstutze zur Verwendung zum Offenhalten von Blutgefassen oder sonstigen Organwegen in menschlichen oder tierischen Korpern. Diese gitterformige Gefassstutze besteht aus mehreren rohrformigen Elementen mit einer zickzackformigen Ringstruktur von geringer Breite, die mit bogenformigen oder S-formigen Stegen miteinander verbunden sind.」（第１ページ第４〜９行） 
「本発明は人間又は動物の身体内の器官の血管又はその他の通路を開放して保持するために使用される管支持物に関する。この格子（グリッド）形の管支持物は小さな幅のジグザグ形の環状構造をもつ数個の管状要素からなり、それらは弓形又はＳ字形の棒で連結される。」 
　 
ｋ．「Die in den Figuren dargestellten Gefassstutzen weisen zickzack-formige Ringelemente mit sternformigen Segmenten und andersartig geformten Verbindungselementen auf. Daher wird aus Grunden der Ubersichtlichkeit in den Figuren nur Beispiele von abgerollten Gitterstrukturen der rohrformigen Gefassstutze oder ein Ausschnitt davon dargestellt.」（第７ページ第３〜７行） 
「図に示される管支持物は星形の区分及び異なる形状の連結要素をもつジグザグ形の環状要素を示す。明瞭にするため、管状の管支持物の展開されたグリッド構造、又はその部分の例のみが図には示される。」 
　 
ｌ．「In Fig. 13 eine weitere Ausfuhrungsform der Erfindung mit schiangenformigen Ringelementen 27,28 im Aussenbereich dargestellt, die jeweils durch hantel- formige Stege 18 verbunden sind, und zickzackformige Ringelemente 2,3 im Mittelbereich, die durch flexiblere S-formige Stege 20 verbunden sind. 
　 
Dadurch wird eine noch grossere Flexibilitat im Mittelbereich 24 erreicht. Als Besonderheit in dieser Darstellung sind die nach rechts geoffneten Bogen 7 der einzelnen Ringelemente 2,3 jeweils auf gleicher Hohe angeordnet. Beim Aufdehnen dieser Struktur bilden die einzelnen sich dann aufdehnenden S-formigen Stege 20 mit einzelnen geraden Stegen 9 der zickzack-formigen Ringelemente 2,3 jeweils eine umlaufende stabile Doppelhelixstruktur.」（第１１ページ第７〜１６行） 
「図１３には、本発明の更なる態様が示され、蛇形の環状要素２７、２８が外側域に於てダンベル形棒１８により連結されており、又ジグザグ形環状要素２、３が中央域に於てより可撓性のＳ字形棒２０により連結されている。
　この様にして、中央域２４に於ける尚より大なる可撓性が達成される。この図の特殊性として、右へ開いている個々の環状要素２、３のアーチ７が等しいレベル上に配列されている。この構造の拡大に於て、その時拡大するであろう個々の棒２０は個々の直線状棒９と一緒に、回転する二重らせん構造を形成するであろう。」 
　 
ｍ．図面のＦｉｇ．１３及びＦｉｇ．１０を参照すれば、各環状要素２、３は、共線的な円筒軸を備えていること、隣接する環状要素とほぼ同一の方向で、ほぼ同一の円周を形成していることが読み取れる。 
　 
ｎ．図面のＦｉｇ．１３によれば、一のジグザグ形の環状要素は、２つの直線状棒９を備えており、各直線棒状９の間には、「＼／ ＼／ ＼」形状のジグザグ要素が形成されていることが読み取れる。 
　 
　これらの記載事項及び図示内容を総合し、本願発明の記載ぶりに則って整理すると、引用例２には、次の発明（以下、「引用発明２」という。）が記載されている。 
　 
「中央域２４を有する拡大可能な管支持物であって、非拡大時に、前記中央域２４は、 
　Ｓ字型棒２０と直線状棒９とからなる拡大可能な二重らせん構造と、 
　それぞれ互いに平行に積み重ねられることにより、共線的な円筒軸を有し、互いに隣接して、交差する前記二重らせん構造のＳ字形棒２０によって互いに取り付けられた複数の環状要素２、３とを有し、該環状要素２、３の各々が、 
　隣接の環状要素２、３とほぼ同一の方向で、ほぼ同一の円周を形成し、 
　前記二重らせん構造と交差する部分である直線状棒９によって互いに結合されて、前記環状要素２、３の前記円周を形成する複数の『＼／ ＼／ ＼』形状のジグザグ要素によって形成される管支持物。」 
　 
Ｖ．対比・判断 
　本願発明と引用発明２とを対比する。 
　記載事項ｊの「人間又は動物の身体内の器官の血管又はその他の通路を開放して保持するために使用される管支持物」なる記載によれば、引用発明２の「管支持物」は、本願発明の「ステント」に相当している。 
　また、引用発明２の「中央域２４」は、その機能又は構造からみて本願補正発明の「本体」に相当し、以下同様に、「拡大可能な管支持物」は「拡張可能なステント」に、「非拡大時」は「非拡張時」に、「Ｓ字型棒２０と直線状棒９とからなる拡大可能な二重らせん構造」は「複数の拡張可能ならせんセグメント」に、「環状要素２、３」は「円筒形構成要素」に、「『＼／ ＼／ ＼』形状のジグザグ要素」は「円周方向セグメント」に、それぞれ相当する。 
　さらに、本願発明の「交差する前記らせんセグメントによって互いに取り付けられた複数の円筒形構成要素」と引用発明２の「交差する前記二重らせん構造のＳ字形棒２０によって互いに取り付けられた複数の環状要素２、３」とは、「交差する前記らせんセグメントによって互いに取り付けられた複数の円筒形構成要素」である点で、また、本願発明の「らせんセグメントと交差する部分によって互いに結合されて」と引用発明２の「二重らせん構造と交差する部分である直線状棒９によって互いに結合されて」とは、「らせんセグメントと交差する部分によって互いに結合されて」である点で、それぞれ共通している。 
　 
　してみると、本願発明と引用発明２とは、本願発明の用語を用いて表現すると、 
「本体を有する拡張可能なステントであって、非拡張時に、前記本体は、 
　複数の拡張可能ならせんセグメントと、 
　それぞれ互いに平行に積み重ねられることにより、共線的な円筒軸を有し、互いに隣接して、交差する前記らせんセグメントによって互いに取り付けられた複数の円筒形構成要素とを有し、該円筒形構成要素の各々が、 
　隣接の円筒形構成要素とほぼ同一の方向で、ほぼ同一の円周を形成し、 
　前記らせんセグメントと交差する部分によって互いに結合されて、前記円筒形構成要素の前記円周を形成する複数の円周方向セグメントによって形成されるステント。」 
という点で一致し、両者の間に相違点はない。 
　 
　よって、本願発明は、引用例２に記載された発明であるから、特許法第２９条第１項第３号に該当する。 
　 
VI．むすび 
　したがって、本願発明は、引用例２に記載された発明であるから、特許法第２９条第１項第３号に該当し、特許を受けることができない。 
　 
　よって、結論のとおり審決する。